(57)【要約】【課題】スライドシートに接続するワイヤハーネスを配索するハーネスレールの構造を改善する。【解決手段】スライドシート用のシートレールの側面に沿って前後方向に延在させるハーネスレールを備え、該ハーネスレールの前後長さ方向に設けるスライダ摺動溝にスライダの本体を移動自在に嵌合すると共に、前記スライダの本体から突出させた外方突出部を前記スライドシートに連結し、該スライドシートの前後移動に前記スライダを連動させると共に該スライダを通してワイヤハーネスをスライドシートへ配線するスライドシート用のワイヤハーネス配索装置において、前記ハーネスレールのスライダ摺動溝の底面と前記スライダの本体の底面との間に集塵用空間を設けている。【選択図】図４
2014180189.tif 000002
【特許請求の範囲】
【請求項１】
スライドシート用のシートレールの側面に沿って前後方向に延在させるハーネスレールを備え、該ハーネスレールの前後長さ方向に設けるスライダ摺動溝にスライダの本体を移動自在に嵌合すると共に、前記スライダの本体から突出させた外方突出部を前記スライドシートに連結し、該スライドシートの前後移動に前記スライダを連動させると共に該スライダを通してワイヤハーネスをスライドシートへ配線するスライドシート用のワイヤハーネス配索装置において、
前記ハーネスレールのスライダ摺動溝の底面と前記スライダの本体の底面との間に集塵用空間を設けていることを特徴とするスライドシート用のワイヤハーネス配索装置。
【請求項２】
前記スライダ摺動溝の上壁下方の底面を段状に突出させて前記スライダの本体の底面の一部を摺動自在に保持する支持段部を、前記集塵用空間の側方に設けている請求項１に記載のスライドシート用のワイヤハーネス配索装置。
【請求項３】
前記スライダ摺動溝の底面から長さ方向に間隔をあけて支持突起を突出させ、前記集塵用空間の上部に配置されるスライダの底面と摺動させている請求項１に記載のスライドシート用のワイヤハーネス配索装置。
【請求項４】
前記スライダの外方突出部の外面から鍔部を突設し、該鍔部を前記ハーネスレールのスライダ摺動溝の上面開口を挟む上壁に摺動自在に設置している請求項１乃至請求項３のいずれか１項に記載のスライドシート用のワイヤハーネス配索装置。
【請求項５】
前記ハーネスレールのスライダ摺動溝内に挿通するワイヤハーネスにはキャタピラ型のプロテクタを外装しており、
前記プロテクタは、帯状の平板に長さ方向に延在すると共に幅方向に間隔をあけて設けた複数本の折曲ラインを折り曲げて筒状とすると共に、長さ方向に間隔をあけて幅方向に切り込みを入れて一辺を連続させると共に他辺を分離し、一方側には屈曲するが他方側には屈曲しない状態で連結している請求項１乃至請求項４のいずれか１項に記載のスライドシート用のワイヤハーネス配索装置。
【請求項６】
前記ハーネスレールの前端に余長収容ケースを連続配置している請求項１乃至請求項５のいずれか１項に記載のスライドシート用のワイヤハーネス配索装置。
【発明の詳細な説明】
【技術分野】
【０００１】
本発明はスライドシート用のワイヤハーネス配索装置に関する。
【背景技術】
【０００２】
自動車のシートには電動リクライニング装置やシートヒータなど種々の電装品が装備されており、これらの電装品に給電するために、車体フロアからシートに給電用のワイヤハーネスが配索されている。スライドシートの場合には、ワイヤハーネスをシートのスライド動作に追従させる必要があり、そのためワイヤハーネスに余長部を持たせて配索している。自動車のスライドシートのスライド寸法は通常最大２４０ｍｍ〜３００ｍｍ程度であるが、助手席や後部座席等でスライド寸法を最大４００ｍｍ〜１２００ｍｍ程度のロングスライドシートとし、座席前方または座席後方に大きな空間をあけることが出来るようにした自動車が近時提供されている。このようなロングスライドシートでは、ワイヤハーネスの余長部の長さが大となるため、余長収容部からワイヤハーネスをスムーズに出し入れするためのワイヤハーネスをスライドシートの前後移動に連続させるレール部が必要となる。
【０００３】
この種の車体フロアとロングスライドシートとの間に配索するハーネス配索装置として、特開２０１０−１９３５９９号公報（特許文献１）に図９（Ａ）（Ｂ）（Ｃ）に示す装置が提案されている。該装置はスライドシート１００用のシートレール１０１の側方に隣接して平行にワイヤハーネス用レール１０２がフロアに敷設されると共に、該ワイヤハーネス用レール１０２の側方に隣接して平行に電線余長収容ケース１１０が設置されている。前記ワイヤハーネス用レール１０２には上面開口のスライダ摺動溝１０２ａが長さ方向の全長に設けられ、該スライダ摺動溝１０２ａ内に摺動自在に嵌合されるスライダ１０５の上方突出部１０５ａがスライダ摺動溝１０２ａの上面開口から突出され、該上方突出部１０５ａがスライドシート１００の脚部に連結されている。
スライドシート１００に配線されるワイヤハーネスＷ／Ｈは、フロアハーネスから分岐され、コルゲートチューブで外装された状態で電線余長収容ケース１１０内に挿通され、該電線余長収容ケース１１０からワイヤハーネス用レール１０２内に挿通され、前記スライダ１０５を経てスライドシート１００に配線されている。
【先行技術文献】
【特許文献】
【０００４】
【特許文献１】特開２０１０−１９３５９９号公報
【発明の概要】
【発明が解決しようとする課題】
【０００５】
特許文献１の装置では、図１０に示すように、ワイヤハーネス用レール１０２の長さ方向全長に設けられたスライダ摺動溝１０２ａの上面開口は車室床材のモール１２０の開口１２０ａに露出する。よって、モール１２０の開口１２０ａを通して乗員の靴底に付着した砂、ゴミ、更に上方から落下してくる異物がワイヤハーネス用レール１０２のスライダ摺動溝１０２ａ内に侵入しやすい。スライダ摺動溝１０２ａに侵入した砂、ゴミ、その他の異物は逃げ場が無く、スライダ摺動溝１０２ａの底面上に堆積し、該スライダ摺動溝１０２ａ内をスライドシートの前後移動に応じて移動するスライダ１０５の底面１０５ｂと擦れあって、スライダ１０５とワイヤハーネス用レール１０２の互いの摺接面に損傷、摩耗損失が発生しやすい。さらに、堆積するゴミによりスライダの動きがスムーズに行えない事態も発生しうる。
【０００６】
本発明は、前記ワイヤハーネス用レールに侵入するゴミ、砂を含む異物によるスライダ等の構成部品の損傷、摩耗の低減を図ると共にスライダの移動を阻害しないようにすることを課題としている。
【課題を解決するための手段】
【０００７】
前記課題を解決するため、本発明は、
スライドシート用のシートレールの側面に沿って前後方向に延在させるハーネスレールを備え、該ハーネスレールの前後長さ方向に設けるスライダ摺動溝にスライダの本体を移動自在に嵌合すると共に、前記スライダの本体から突出させた外方突出部を前記スライドシートに連結し、該スライドシートの前後移動に前記スライダを連動させると共に該スライダを通してワイヤハーネスをスライドシートへ配線するスライドシート用のワイヤハーネス配索装置において、
前記ハーネスレールのスライダ摺動溝の底面と前記スライダの本体の底面との間に集塵用空間を設けていることを特徴とするスライドシート用のワイヤハーネス配索装置を提供している。
【０００８】
前記のように、ハーネスレールに設けるスライダ摺動溝はスライダの外方突出部をスライドシート側へ突出させる必要があるため、上面開口を塞ぐことはできず、該上面開口から砂、ゴミを含む異物がスライダ摺動溝に侵入することは防止できない。よって、該スライダ摺動溝の底面上に集塵用空間を設け、言わばゴミ箱部を予め備えた形状とし、該ゴミ箱部に収容されるゴミにスライダが接触しないようにして、ゴミによるスライダの損傷や摩耗を防止している。
【０００９】
詳細には、前記ハーネスレールの前後長さ方向に底壁と両側壁で囲まれる断面四角形状の前記スライダ摺動溝を設け、該スライダ摺動溝の前記シートレール側に上面開口を設けると共に他側上面に上壁を設け、かつ、前記シートレール側の側壁を前記上面開口より上方に突出させると共に、その突出端より前記シートレール側へ屈折させてモール設置用の水平上壁を設け、該水平上壁上にモールを敷設すると共に、前記他側の上壁からモール係止部を突設している。
【００１０】
前記スライダの本体を集塵用空間上に宙吊り状態とするスライダを安定姿勢で摺動可能とするため、スライダ摺動溝の底面から長さ方向に間隔をあけて支持突起を突出させて、スライダの底面と摺動させることが好ましい。
前記支持突起は前記上面開口の直下ではなく上壁の下方に設け且つ山形状の突起とし、頂部に埃等が溜まらないようにすることが好ましい。
【００１１】
あるいは、長さ方向に間隔をあけて支持突起を設ける代わりに、前記スライダ摺動溝の上壁直下の底面を段状に突出させて支持段部を前記集塵用空間の側方に設け、該支持段部上にスライダの本体の底面の略半分を摺動支持に搭載し、かつ、前記集塵用空間の幅は上方の前記スライダ摺動溝の上面開口の幅より広くしていることが好ましい。
【００１２】
さらに、前記スライダの外方突出部の両側外面から鍔部を突設し、該鍔部をハーネスレールのスライダ摺動溝の上面開口を挟む両側上壁に摺動自在に設置してもよい。
【００１３】
前記シートレールの側面に沿って前後直線状にワイヤハーネスを挿通する前記ハーネスレールの前端に、ワイヤハーネスを連続して挿通する余長収容ケースを設け、該余長収容ケース内にワイヤハーネスをターンさせて余長を吸収している。前記ハーネスレールおよび前記余長収容ケースは前記モール下方に配置している。
前記構成とすると、電線の余長吸収寸法を大とでき、ロングスライドシートに好適に用いられる。また、ハーネスレールから余長収容ケース内にワイヤハーネスを直線状に保持したまま引き込むことができ、該余長収容ケースの前端側で湾曲させて後方へとターンさせて、余長収容ケースの後端に設けた開口から引き出している。
【００１４】
前記ハーネスレールと前記余長収容ケースを一体に形成し、または、別体として前記ハーネスレールの前端のハーネス挿通口と前記余長収容ケースのハーネス挿通用の開口とを連続させている。
前記ハーネスレールと前記余長収容ケースとを樹脂で一体成形すると、部品点数の削減によりコスト低下が図れると共に車両への取付作業手数も低減できる。
一方、ハーネスレールと前記余長収容ケースとを別体とすると、ハーネスレールの成形樹脂を余長収容ケースの成形樹脂よりも剛性を高めることができ、用途に応じた樹脂材を用いて形成することができる。かつ、ハーネスレールの設置位置はシートレールの側面に沿った位置に固定されるが、余長収容ケースは水平姿勢、垂直姿勢、傾斜姿勢等と設置場所に応じて任意の姿勢で設置することができる。
【００１５】
前記ハーネスレールのスライダ摺動溝および前記余長収容ケース内に収容するワイヤハーネスにはキャタピラ型のプロテクタを外装しており、前記スライダ摺動溝に設ける支持突起または支持段部上に前記プロテクタを摺動自在に搭載している。
前記プロテクタは、帯状の平板に長さ方向に延在すると共に幅方向に間隔をあけて設けた複数本の折曲ラインを折り曲げて筒状とすると共に、長さ方向に間隔をあけて幅方向に切り込みを入れて一辺を連続させると共に他辺を分離し、一方側には屈曲するが他方側には屈曲しない状態で連結している。
【００１６】
前記キャタピラ型のプロテクタは、四角筒状等の本体に長さ方向に間隔をあけて切り込みをいれて、前記のように、一方側には屈曲するが他方側には屈曲しないキャタピラ型としている。
前記四角筒状のキャタピラ型のプロテクタは、帯状の平板に長さ方向に延在する４本の折曲ラインを幅方向の中間部に間隔をあけて設け、かつ、該幅方向の両側縁の一方側に係止突片を突設すると共に他方側に前記係止突片を挿入係止する係止穴を設け、前記折曲ラインに沿って折り曲げて四角筒形状とすると共に係止突片を係止穴に挿入係止して四角筒状を保持し、さらに、前記４本の折曲ラインを結ぶ幅方向の切込ラインを長さ方向に間隔をあけて設けて四角筒の３辺を分離して折り曲げ自在に連結された形状としていることが好ましい。
【発明の効果】
【００１７】
前記のように、本発明のスライドシート用のワイヤハーネス配索装置は、シートレールの側面に沿って設置するハーネスレールは、スライダ摺動溝内に摺動自在に嵌合するスライダの本体から外方突出部を上方に突出させてスライドシートと連結する必要があるため、スライダ摺動溝には上面開口が必須となる。よって、該上面開口からゴミが侵入するが、スライダ摺動溝内に集塵用空間を設けて、スライダと接触しないようにしているため、スライダに損傷が発生したり、スライダの動きが阻害されるのを防止できる。
【図面の簡単な説明】
【００１８】
【図１】第１実施形態におけるスライドシートを示す概略斜視図である。
【図２】前記第１実施形態のＩＩ−ＩＩ線断面図ある。
【図３】シートレールとハーネスレールと余長収容ケースとの位置関係およびワイヤハーネスの移動を示し、（Ａ）はスライドシートの後方位置での状態を示す図面、（Ｂ）はスライドシートの前方位置での状態を示す図面である。
【図４】（Ａ）はハーネスレールと余長収容ケースを示す斜視図、（Ｂ）はハーネスレールの断面図である。
【図５】スライダを示し、（Ａ）は斜視図、（Ｂ）および（Ｃ）は断面図である。
【図６】ワイヤハーネスに外装するプロテクタを示し、（Ａ）は斜視図、（Ｂ）は拡大展開図、（Ｃ）は要部断面図である。
【図７】第２実施形態を示し、（Ａ）は斜視図、（Ｂ）（Ｃ）は断面図である。
【図８】第３実施形態を示し、（Ａ）はハーネスレールの概略断面図、（Ｂ）は（Ａ）の拡大図である。
【図９】（Ａ）〜（Ｃ）は従来例を示す図面である。
【図１０】（Ａ）（Ｂ）は従来の問題点を説明する図面である。
【発明を実施するための形態】
【００１９】
以下、本発明の実施形態を図面を参照して説明する。
図１乃至図６に本発明の第１実施形態を示す。
図１に示すように、自動車に搭載する助手席側のスライドシート１を４００ｍｍ〜１２００ｍｍ程度スライドできるロングスライドシートとしており、該スライドシート１に装着した電装品（図示せず）に給電するために、フロアパネル２からスライドシート１へワイヤハーネス５を配線している。
【００２０】
スライドシート１の下面には図２に示すように、シート脚部３を左右一対設け、各シート脚部３をフロアパネル２上に支持台５０を介して搭載した左右一対のシートレール６にスライド自在に取り付けている。各シートレール６は図２に示す構造で、スライドシート１の座面下方に突出したシート脚部３の軸部３ａをシートレール６内に挿入し、軸部３ａから腕部３ｂを左右に延在させ、腕部３ｂの外面に軸支した車輪３ｃをシートレール６内の側部空間６ａに回動自在に嵌合させている。シートレール６の中央の上面開口６ｃを挟む左右の側部空間６ａの上壁６ｆには、その上面に車室床材となるモール１０Ａ、１０Ｂを敷設している。
【００２１】
一方のシートレール６の側面には、前端から後方に向かって１本の直線状のハーネスレール７を設置すると共に、該ハーネスレール７の前端に連続させて余長収容ケース８を設置している。フロアパネル２に配索するフロアハーネスから分岐したワイヤハーネス５を前記余長収容ケース８およびハーネスレール７に連続して配線し、ハーネスレール７に摺動自在に嵌合するスライダ９に通し、該スライダ９をスライドシート１の脚部３に連結すると共に、ワイヤハーネス５（以下、シートハーネス５と称す）をスライドシート１内に配線している。
【００２２】
前記ハーネスレール７と前記余長収容ケース８とは図３および図４（Ａ）に示すように一体成形している。ハーネスレール７は直線状に延在し、該ハーネスレール７の前端にＵ形状の余長収容ケース８を連続させているために、一体としたハーネスレール７と余長収容ケース８は全体として略Ｊ字形状としている。よって、スライドシート１に配線するシートハーネス５はスライダ９を通してハーネスレール７に挿入された後、該ハーネスレール７から余長収容ケース８内でＵターンさせ、全体としてＪ字状に挿通させた後に、余長収容ケースの後端に設けた開口から外方に引き出している。
【００２３】
余長収容ケース８の長さ（Ｌ１）はスライドシート１を前端位置とした時のシートハーネス５の余長の約１／２の長さであればよく、スライドシート１の最大スライド長さの約１／２の長さとしている。
ハーネスレールの長さ（Ｌ２）は、シートレール６の全長と同等としてもよいが、全長に設けずに、シートレール６の前端から全長の４０〜８０％の地点までの長さとするのが好ましい。
【００２４】
図４に示すように、ハーネスレール７は、前後長さ方向に底壁７ａと両側壁７ｂ、７ｃで囲まれる断面略四角形状のスライダ摺動溝７０を設け、該スライダ摺動溝７０のシートレール６側に上面開口７ｄを設けると共に、他側上面に上壁７ｅを設けている。かつ、シートレール６側の側壁７ｂを上面開口７ｄより上方に突出させると共に、その突出端より前記シートレール６側へ屈折させてモール設置用の水平上壁７ｆを設け、該水平上壁７ｆの先端を下向きに屈曲させている。さらに、前記上壁７ｅの上面から一対のモール係止部７ｇを突出している。該モール係止部７ｇの上端は前記水平上壁７ｆの上面高さ位置と一致させている。
【００２５】
さらに、スライダ摺動溝７０の底壁７ａは前記上壁７ｅ側で段状に突出させて支持段部７１を形成している。この支持段部７１上にスライダ９のボックス状の本体９ａの底面の一側部９ｂ１を搭載し、該本体９ａの底面の他側部９ｂ２は底壁７ａより高さＨだけ上方に位置させ、該底面７ａとスライダの本体底面との間に集塵用空間７５を設けている。該集塵用空間７５の幅Ｌ２は真上の上面開口７ｄの幅Ｌ１以上（Ｌ１≦Ｌ２）としている。
【００２６】
図２に示すように、ハーネスレール７はスライダ摺動溝７０の上面開口７ｄをモール１０Ｂと１０Ｃの間の開口１０Ｈに露出させている。ハーネスレール７の上面に敷設するモールは、シートレール６に近接配置することで、シートレール側はシートレール上のモール１０Ｂでカバーし、シートレール６と反対側の片面だけをモール１０Ｃでカバーしている。該モール１０Ｃの下向きに突設した係止部１０Ｃ−ａを前記モール係止部７ｇに挿入係止している。
【００２７】
ハーネスレール７のスライダ摺動溝７０の前端に連続させる余長収容ケース８は、前端を円弧状に湾曲させた略Ｕ形状で、比較的浅底の本体８ａと、該本体８ａにワイヤハーネスを収容した後に被せる蓋８ｂとからなる。該余長収容ケース８の後端面の中央に円弧状に窪ませた中央閉鎖部８ｃを設け、該中央閉鎖部８ｃを挟んで両側に開口８ｄ、８ｅを設けている。一方の開口８ｄをハーネスレール７のスライダ摺動溝７０の前端開口に連続させ、他方の開口８ｅからシートハーネス５を引き出してフロアハーネスとコネクタ接続し、かつ、開口８ｅから外方に出た位置でクリップを介してフロアパネルに固定している。
余長収容ケース８内では、両側の開口８ｄ、８ｅに出入するシートハーネス５は中央閉鎖部８ｃの両側とケースの外周壁８ｆの内面との間で直線状方向に経路を規制され、シートハーネス５がケース外周面に沿うようにガイドしている。該構成として、ハーネスレール７から余長収容ケース８内を迂回して外方へ引き出すシートハーネス５を、余長収容ケース８の前端でＵターンさせ、ハーネスレール７を含めて全体としてＪ字状に配線している。
【００２８】
前記ハーネスレール７のスライダ摺動溝７０内に挿通するシートハーネス５および余長収容ケース８内に挿通するシートハーネスは後述する四角筒状のキャタピラ型のプロテクタ３０で外装し、該プロテクタ３０の底面の一側部を支持段部７１上に摺動自在に搭載し、該プロテクタ３０の底面の他側部は集塵用空間７５の上方に吊り下げている。
【００２９】
前記ハーネスレール７のスライダ摺動溝７０に摺動自在に嵌合するスライダ９は図４（Ｂ）に示すように、スライダ摺動溝７０に嵌合するスライダ９の本体９ａから外方突出部の縦枠部９ｂを上面開口７ｄより上方へ突出させている。スライダ９は樹脂成形品からなり、図５（Ａ）〜（Ｃ）に示す形状とし、スライダ摺動溝７０にスライド自在に嵌合する本体９ａは直方体状であり、該本体９ａの中空部を連続させて上向きに突出する縦枠部９ｂを設けている。該縦枠部９ｂの上部内面に連続してシートレール６の上面開口６ｃ側に突出させた後に上壁６ｆの上方に隙間をあけて延在するように後方へと屈曲させたＬ形状の横枠部９ｃを設けている。該横枠部９ｃの突出側の上面にワイヤハーネス引出用の開口９ｄを設けている。前記縦枠部９ｂおよび横枠部９ｃの中空は本体９ａから引き出すシートハーネス５の挿通路とし、該挿通路を通したシートハーネス５を前記開口９ｄを通して上方へ引き出すようにしている。引き出したシートハーネス５をスライドシート１内の電装品（図示せず）とコネクタ接続している。
【００３０】
さらに、前記横枠部９ｃの先端側の両側壁にボルト穴９ｇを穿設している。該ボルト穴９ｇを前記シート脚部３の前端に固定した支持部材１９のボルト穴１９ｈと一致させ、ボルトＢを挿入して締結固定している。これにより、スライドシート１の移動に追従してシート脚部３に連結固定したスライダ９が前後移動するようにしている。
【００３１】
前記余長収容ケース８およびハーネスレール７のスライダ摺動溝７０に摺動自在に配線するシートハーネス５に外装する前記四角筒状のキャタピラ型のプロテクタ３０は、図６（Ｂ）に示す帯状の連続した長尺材からなる平板４０を折り曲げて組み立てている。平板４０には、長さ方向Ｘに延在する４本の折曲ライン４１、４２、４３、４４を幅方向Ｙの中間部に間隔をあけて設け、平板４０を幅方向に５個の辺Ｓ１〜Ｓ５に区画し、折曲ライン４１〜４４を直角に折り曲げ、幅方向の両側辺Ｓ１とＳ５を重ねることで図６（Ａ）に示すように、四角筒状に組み立てられるようにしている。
【００３２】
また、平板４０の幅方向の両側の一方側の辺Ｓ１の側縁に係止突片４５を長さ方向Ｘに間隔をあけて突設している。該係止突片４５は円弧状の突出部の根元両側に切込４５ａを設け、両側に係止辺４５ｂが突出する形状としている。平板４０の他方側の辺Ｓ５に係止突片４５を挿入係止する細長い係止穴４６を設けている。該係止穴４６の長さ方向両端に切込４６ａを設け、その先端に小径穴４６ｃを設けている。前記切込４６ａに係止辺４５ｂがかかるようにし、かつ、小径穴４６ｃで切込４６ａの先端から亀裂が生じないようにしている。平板４０を折曲ライン４１〜４４に沿って折り曲げ、辺Ｓ１とＳ５を重ねた状態で係止突片４５を係止穴４６に挿入係止することで、四角筒形状を保持できるようにしている。
【００３３】
平板４０には前記４本の折曲ライン４１〜４４を結ぶ幅方向Ｙの切込ライン４８を長さ方向Ｘに間隔をあけて設け、辺Ｓ２、Ｓ３、Ｓ４を分離している。該切込ライン４８の両端、すなわち、折曲ライン４１および４４と接する位置には小径穴４８ａを連続して設け、先端からの亀裂発生を防止している。さらに、切込ライン４８の中央部で辺Ｓ３の中央位置に直線を湾曲させた円弧状の切込４９を設け、長さ方向に隣接する一方側を円弧状に突出させ、他方を円弧状に窪ませ、凹凸嵌合部を設けている。
【００３４】
平板４０に設ける折曲ライン４１〜４４は、図６（Ｃ）に示すように、板厚の１／３程度を切削して断面円弧状のラインとしている。前記切込ライン４８、係止穴４６、係止突片４５はすべて平板を打抜いて形成している。よって、平板４０を成形した後に、打抜加工、切削加工で形成している。
【００３５】
前記プロテクタ３０は予め折曲ライン４１〜４４を折り曲げる一方、係止突片４５は係止穴４６に挿入せず、開いた状態でシートハーネス５の電線群を折り曲げたプロテクタ３０の両側辺Ｓ１とＳ５の間の開口から挿入する。この電線群の挿入後に辺Ｓ１とＳ５を重ね、係止突片４５を係止穴４６に挿入係止し、電線群を四角筒の中に挿入した状態で外装する。
【００３６】
前記プロテクタ３０は四角筒の３辺Ｓ２、Ｓ３、Ｓ４が切込ライン４８で長さ方向で分離され、重ねて係止した辺Ｓ１とＳ５が長さ方向で屈曲自在に連結された構成となり、かつ、分離された辺Ｓ３は、隣接する辺Ｓ３同士が円弧状切込で凹凸嵌合する状態となる。即ち、短尺な四角筒が屈曲自在に長さ方向に順次連結し、かつ、隣接する四角筒同士を凹凸嵌合させているため幅方向にずれない、キャタピラ状のプロテクタとなる。
【００３７】
前記スライダ９、ハーネスレール７のスライダ摺動溝７０内および余長収容ケース８を通して車体側へと引き出すシートハーネス５は屈曲しながらスライドする。よって、シートハーネス５の外装材は従来汎用されているコルゲートチューブのように屈曲性を有する必要があり、前記キャタピラ型のプロテクタは屈曲性を有するため、シートハーネス５の外装材として用いることができる。
【００３８】
また、前記キャタピラ型のプロテクタ３０を用いると、ハーネスレール７のスライダ摺動溝７０内にスライダ９の本体９ａをガタつきなくスライド自在に内嵌できる。さらに、余長収容ケース８の本体８ａの底面と蓋８ｂの上面にプロテクタ３０の上下面がスライド自在に摺動し、安定した姿勢で余長収容ケース８内を移動させることができる。
【００３９】
次に、スライドシート１のスライド動作に追従するシートハーネス５の動きについて説明する。
スライドシート１の前後方向のスライドに連動して、ハーネスレール７のスライダ摺動溝７０に嵌合したスライダ９が、シートレール６の上壁６ｆに沿って前後移動する。該スライダ９に連結したシートハーネス５に外装しているプロテクタ３０がハーネスレール７のスライダ摺動溝７０内を前後移動し、該前後移動に応じて余長収容ケース８内にシートハーネス５が出入する。これにより、スライドシート１のスライド動作にシートハーネス５を滑らかに追従させている。
【００４０】
具体的には、図３（Ａ）はスライドシート１が後方位置にある場合を示し、図３（Ｂ）はスライドシート１が前方位置にある場合を示す。スライドシート１を前方から後方へとスライドさせていくと、余長収容ケース８内に収容されていたシートハーネス５が開口８ｄから引き出され、ハーネスレール７のスライダ摺動溝７０に挿入されていくと共に、余長収容ケース８内のシートハーネス５の前端屈曲部が余長収容ケース８の後方へ移動する。
一方、スライドシート１が後方から前方へスライドすると、余長収容ケース８内のＵ形状の屈曲部が前方へ移動すると共に、ハーネスレール７のスライダ摺動溝７０に挿通されていたシートハーネス５が開口８ｄから余長収容ケース８内へと引き込まれ余長部として収容される。
【００４１】
スライダ９の本体９ａは集塵用空間７５上に吊り下げられているが、該本体９ａの底面の一側部が支持段部７１上にスライド自在に搭載されているため、底面の他側部を集塵用空間７５上の空間に安定保持できる。かつ、集塵用空間７５は上面開口７ｄの直下に設けられているため、上面開口７ｄから侵入する砂、埃、ゴミ等の異物をスムーズに溜めることができる。
【００４２】
図７（Ａ）〜（Ｃ）に第２実施形態を示す。
第２実施形態では、ハーネスレール７と余長収容ケース８を別体で形成し、ハーネスレール７の前端に余長収容ケース８の後端の一側部を当接させて連結している。
ハーネスレール７のスライダ摺動溝７０内には、その底壁７ａとスライダの本体９ａの底面全面との間に集塵用空間７５を設け、ハーネスレール７の全長に沿って延在するスライダ摺動溝７０の底壁７ａより図７（Ｂ）（Ｃ）に示す山形状の支持突起７６を長さ方向に間隔をあけて突設している。これら支持突起７６がスライダの本体９ａの底面およびプロテクタ３０の下面を摺動自在に支持している。
他の構成および作用は第１実施形態と同様であるため、同一符号を付して説明を省略する。
【００４３】
図８に第３実施形態を示す。
第３実施形態では、第２実施形態と同様にハーネスレール７のスライダ摺動溝７０の底部全面に集塵用空間７５を設け、スライダ９の本体９ａの全体をスライダ摺動溝７０内に吊り下げている。スライダ９の外方突出部の縦枠部９ｂの外周に鍔部９０を突設し、該鍔部９０をハーネスレール７のスライダ摺動溝７０の上面開口７ｄを挟む両側の上壁７ｆ’、７ｅ’上に摺動自在に設置して、スライダ９を安定姿勢で移動できるようにしている。
【００４４】
本発明は前記実施形態に限定されず、ハーネスレール７の前端に連続して設置する余長収容ケースがシートレールの前端より突出しない位置に設置してもよい。
さらに、本発明の要旨を越えない範囲で種々に変更することができる。
【符号の説明】
【００４５】
１  スライドシート
２  フロアパネル
３  シート脚部
５  ワイヤハーネス（シートハーネス）
６  シートレール
７  ハーネスレール
７０  スライダ摺動溝
７５  集塵用空間
８  余長収容ケース
９  スライダ
９ａ  本体
３０  キャタピラ型のプロテクタ
【図１】
2014180189.tif 000003
【図２】
2014180189.tif 000004
【図３】
2014180189.tif 000005
【図４】
2014180189.tif 000006
【図５】
2014180189.tif 000007
【図６】
2014180189.tif 000008
【図７】
2014180189.tif 000009
【図８】
2014180189.tif 000010
【図９】
2014180189.tif 000011
【図１０】
2014180189.tif 000012